(57)【要約】【課題】簡易な方法で、トリガ放電を生成する導電性被膜を気密容器内に配置できる放電型サージ吸収素子の製造方法の実現。【解決手段】気密容器12の基となる両端が開口した細長いガラス管24を回転させた状態で、導電材料の粉末を、溶剤及び樹脂接着剤中に混合して成る分散液30の液滴を、インクジェット装置のノズル26の先端から、ガラス管24内面の所定位置に向かって噴射することにより、上記ガラス管24内面に分散液30を帯状に塗布して導電性被膜22を形成する。【選択図】図３
2020027749.tif 000002
【特許請求の範囲】
【請求項１】
導電材料の粉末を、溶剤及び樹脂接着剤中に混合して成る分散液を作製する工程、
両端が開口した細長いガラス管を回転させる工程、
上記ガラス管を回転させた状態で、インクジェット装置のノズルの先端から、ガラス管内面の所定位置に向かって、上記分散液の液滴を噴射し、以て、ガラス管内面に分散液を帯状に塗布して導電性被膜を形成する工程、
リード端子の一端が接続された複数の放電電極を、所定の間隙を保って並列するよう保持した状態で、一端開口からガラス管内に挿入し、上記リード端子の他端がガラス管から外部へ突出するように収納する工程、
ガラス管の一端開口付近を加熱溶融させ、溶融部分を内方向へ圧潰して封着し、封止部を形成する工程、
ガラス管内に放電ガスを充填後、ガラス管の他端開口を加熱溶融して封じ切ることによって気密に封止する工程、
を備えることを特徴とする放電型サージ吸収素子の製造方法。
【請求項２】
上記導電材料の粉末が、カーボン系粉末であることを特徴とする請求項１に記載の放電型サージ吸収素子の製造方法。
【発明の詳細な説明】
【技術分野】
【０００１】
この発明は、ガラスより成る気密容器内に、複数の放電電極を放電間隙を隔てて並列配置すると共に、トリガ放電生成用の導電性被膜を配置し、さらに、上記気密容器内に放電ガスを封入して成る放電型サージ吸収素子の製造方法に関する。
【背景技術】
【０００２】
図６〜図８は、この種の放電型サージ吸収素子の一例を示すものであり、該放電型サージ吸収素子001は、ガラスより成る気密容器002内に、細長い丸棒状の一対の放電電極003，003と、絶縁性材料であるフォルステライト、アルミナ、ステアタイト等のセラミックより成るトリガ放電部材004を封入して成る。
【０００３】
上記一対の放電電極003，003は、所定の距離を隔てて並列配置されており、両放電電極003，003間に放電間隙005が形成されている。
また、上記放電電極003，003の下端部には、リード端子006，006の一端が接続されており、上記リード端子006，006の他端は、上記気密容器002の封止部007を貫通して外部に導出されている。
【０００４】
上記放電電極003は、導電性に優れたニッケル等の金属や、ニッケル−マンガン（Ｎｉ−Ｍｎ）合金等の耐酸化性に優れたニッケル合金で構成されている。
また、上記放電電極003の表面には、電子放出特性が良好な物質を含有した被膜009が形成されている。
【０００５】
上記トリガ放電部材004は、気密容器002の封止部007上に配置されており、図７及び図８に拡大して示すように、略楕円盤状の本体部010と、該本体部010を上下に貫通する一対の孔011，011を有している。
上記孔011，011は、上記放電電極003の外形寸法と略同径と成されており、孔011，011内に、放電電極003，003とリード端子006，006が挿通されている。
【０００６】
上記トリガ放電部材004の一対の孔011，011間には、本体部010表面から所定の高さ（例えば、約１mmの高さ）で突出し、その表面にカーボン系材料等より成る導電性被膜012が被着された凸部013が形成されており、該凸部013の両端縁の一部は、図８に示すように、微小放電間隙015を隔てて、孔011，011内に挿入された放電電極003，003の内方側の外面略半周に沿って配置されている。そして、凸部013表面の導電性被膜012と、各放電電極003，003とが、放電電極003，003の内方側の外面の略半周に亘って、上記微小放電間隙015を隔てて対向配置されている。尚、上記微小放電間隙015は、例えば１０〜５０μｍの範囲に設定される。
上記導電性被膜012は、例えば、カーボン系材料より成る芯材を擦り付けることにより形成される。
【０００７】
上記気密容器002内には、所定の放電ガス、例えば、アルゴン、ネオン、ヘリウム、キセノン等の希ガスあるいは窒素ガス等の不活性ガスの単体又は混合ガスが封入されている。
【０００８】
上記構成を備えた放電型サージ吸収素子001に、リード端子006，006を介してサージが印加されると、導電性被膜012と各放電電極003，003間の微小放電間隙015に電界が集中し、これにより微小放電間隙015に電子が放出されてトリガ放電が発生する。次いで、このトリガ放電は、電子のプライミング効果によってグロー放電へと移行する。そして、このグロー放電がサージ電流の増加によって放電間隙005へと転移し、さらに主放電としてのアーク放電に移行してサージの吸収が行われるのである。
【先行技術文献】
【特許文献】
【０００９】
【特許文献１】特開２００２−３３４７６５号公報
【特許文献２】特開２００５−１９０８０３号公報
【特許文献３】特開２０１２−１５５８８２号公報（図１〜図３参照）
【発明の開示】
【発明が解決しようとする課題】
【００１０】
上記放電型サージ吸収素子001にあっては、放電電極003，003との間でトリガ放電を生成する導電性被膜012を気密容器002内に配置するため、表面に導電性被膜012が被着されたセラミックより成るトリガ放電部材004を必要としていた。
このため、導電性被膜012が被着されたトリガ放電部材004の製作・準備工程、トリガ放電部材004への放電電極003，003及びリード端子006，006の組付工程等が必要であり、トリガ放電部材004を必要とすることに起因して製造工程が複雑化し、コスト高を招来していた。
【００１１】
この発明は、従来の上記問題に鑑みてなされたものであり、その目的とするところは、簡易な方法で、トリガ放電を生成する導電性被膜を気密容器内に配置できる放電型サージ吸収素子の製造方法を実現することにある。
【課題を解決するための手段】
【００１２】
上記目的を達成するため、本発明の請求項１に記載の放電型サージ吸収素子の製造方法は、
導電材料の粉末を、溶剤及び樹脂接着剤中に混合して成る分散液を作製する工程、
両端が開口した細長いガラス管を回転させる工程、
上記ガラス管を回転させた状態で、インクジェット装置のノズルの先端から、ガラス管内面の所定位置に向かって、上記分散液の液滴を噴射し、以て、ガラス管内面に分散液を帯状に塗布して導電性被膜を形成する工程、
リード端子の一端が接続された複数の放電電極を、所定の間隙を保って並列するよう保持した状態で、一端開口からガラス管内に挿入し、上記リード端子の他端がガラス管から外部へ突出するように収納する工程、
ガラス管の一端開口付近を加熱溶融させ、溶融部分を内方向へ圧潰して封着し、封止部を形成する工程、
ガラス管内に放電ガスを充填後、ガラス管の他端開口を加熱溶融して封じ切ることによって気密に封止する工程、
を備えることを特徴とする。
【００１３】
本発明の請求項２に記載の放電型サージ吸収素子の製造方法は、請求項１に記載の放電型サージ吸収素子の製造方法において、
上記導電材料の粉末が、カーボン系粉末であることを特徴とする。
【発明の効果】
【００１４】
本発明の放電型サージ吸収素子の製造方法は、従来の放電型サージ吸収素子001のようなトリガ放電部材004の製作・準備工程、トリガ放電部材004への放電電極003，003及びリード端子006，006の組付工程が不要である。
すなわち、本発明の放電型サージ吸収素子の製造方法にあっては、気密容器の基となるガラス管を回転させた状態で、導電材料の粉末を、溶剤及び樹脂接着剤中に混合して成る分散液の液滴を、上記ガラス管内面の所定位置に向かって噴射するという簡易な工程により、気密容器内面に配置される導電性被膜を形成することができる。
【発明を実施するための形態】
【００１５】
図１及び図２に示す本発明に係る放電型サージ吸収素子10は、透明なガラスより成る気密容器12内に、細長い丸棒状の一対の放電電極14，14を封入して成る。
上記一対の放電電極14，14は、所定の距離を隔てて並列配置されており、両放電電極14，14間に放電間隙16が形成されている。
【００１６】
また、上記放電電極14，14の下端部には、デュメット線（銅被覆鉄ニッケル合金線）や４２−６合金線等より成るリード端子18，18の一端が接続されており、上記リード端子18，18の他端は、上記気密容器12の封止部12aを貫通して外部に導出されている。
【００１７】
上記放電電極14は、導電性に優れたニッケル等の金属や、ニッケル−マンガン（Ｎｉ−Ｍｎ）合金等の耐酸化性に優れたニッケル合金で構成されている。
また、上記放電電極14の表面には、電子放出特性が良好な物質を含有した被膜20が形成されている。
【００１８】
電子放出特性が良好な物質を含有した上記被膜20は、例えば、アルカリ金属及び／又はアルカリ土類金属の炭酸塩と、炭化チタン（ＴｉＣ）が含有された被膜20で形成することができる。
【００１９】
上記アルカリ金属の炭酸塩としては、Ｃｓ２ＣＯ３（炭酸セシウム）を好適に使用することができ、また、アルカリ土類金属の炭酸塩としては、ＢａＣＯ３（炭酸バリウム）、（Ｂａ，Ｓｒ，Ｃａ）ＣＯ３（三元炭酸塩）を好適に使用することができる。
【００２０】
上記被膜20は、アルカリ金属の炭酸塩の粉末及び／又はアルカリ土類金属の炭酸塩の粉末と、炭化チタンのの粉末を、珪酸ナトリウム溶液と純水よりなるバインダーに添加したものを、放電電極14表面に塗布することによって形成することができる。
【００２１】
上記気密容器12内には、所定の放電ガスが封入されている。この放電ガスとしては、例えば、アルゴン、ネオン、ヘリウム、キセノン等の希ガスあるいは窒素ガス等の不活性ガスの単体又は混合ガスが該当する。
【００２２】
ガラスより成る上記気密容器12の内面には、電子放出特性が良好な導電材料を含有する導電性被膜22が被着形成されている。本実施形態の場合には、黒鉛、カーボンブラック、カーボンナノチューブ等のカーボン系材料を導電材料としている。
図１及び図２に示すように、上記導電性被膜22は気密容器12内面において、一対の放電電極14，14と交差する方向に、上記一対の放電電極14，14を囲繞する帯状に被着形成されている。            
本実施形態においては、帯状の導電性被膜22を気密容器12内面の全周に亘って切れ目無く形成することにより、一対の放電電極14，14の全体を囲繞している（図２参照）。
尚、帯状の導電性被膜22を気密容器12内面の非全周に切れ目が有るように形成し、一対の放電電極14，14を部分的に囲繞するようにしても良い。
【００２３】
上記放電型サージ吸収素子10は以下の工程で製造される。
先ず、気密容器12の基となる両端が開口した細長い円筒状の透明なガラス管24を準備する（図３参照）。
【００２４】
また、導電性被膜22を構成する導電材料の粉末を、溶剤及び樹脂接着剤中に混合し、以て、導電材料の粉末が混合されたインク状の分散液を作製する。本実施形態にあっては、導電材料として黒鉛、カーボンブラック、カーボンナノチューブ等のカーボン系粉末を用いている。
上記溶剤としては、アルコール系溶剤、メチルエチルケトン系溶剤、アセトン系溶剤、水系溶剤が該当する。
また、上記樹脂接着剤としては、セルロース系樹脂、アクリル系樹脂、エポキシ系樹脂、ウレタン系樹脂の接着剤が該当する。
作製した上記インク状の分散液はインクジェット装置に供給しておく。
【００２５】
次に、図３（ａ）の回転矢印に示す方向（ガラス管24の長手方向の中心軸を回転軸とする方向）に、ガラス管24を回転させる。
そして、ガラス管24を連続的に回転させた状態で、インクジェット装置のノズル26の先端から、ガラス管24内面の所定位置に向かって、上記分散液30の液滴を斜め上方から連続的に噴射する。
この結果、図３（ｂ）に示すように、ガラス管24内面に分散液30が帯状に塗布される。
この際、ガラス管24を連続的に何度も回転させることにより、ガラス管24内面の全周に亘って切れ目無く、分散液30を帯状に塗布できる。
また、ガラス管24の回転数及び回転速度、インクジェット装置のノズル26先端から噴射する分散液30の液滴の噴射量・噴射時間を適宜調整することにより、分散液30を、ガラス管24内面の非全周に切れ目が有るよう帯状に塗布することもできる。
その後、分散液30が乾燥することにより、放電型サージ吸収素子10の導電性被膜22が形成される。
【００２６】
次にリード端子18，18の一端が接続された一対の放電電極14，14を、所定の間隙を保って並列するよう保持した状態で、一端開口からガラス管24内に挿入して、上記リード端子18，18の他端がガラス管から外部へ突出するように収納する。
【００２７】
次に、ガラス管24の一端開口付近を加熱溶融させ、溶融部分を内方向へ圧潰して封着し、封止部12aを形成する。
【００２８】
次いで、ガラス管24の他端開口に図示しない排気装置を接続し、内部の空気を排出してガラス管内を高真空状態とした後に放電ガスを充填する。
次に、ガラス管24の他端開口を加熱溶融して封じ切ることによって気密に封止することにより、上記放電型サージ吸収素子10が完成するのである。
【００２９】
本発明の上記製造方法は、従来の放電型サージ吸収素子001のようなトリガ放電部材004の製作・準備工程、トリガ放電部材004への放電電極003，003及びリード端子006，006の組付工程が不要である。
すなわち、本発明の製造方法にあっては、気密容器12の基となるガラス管24を回転させた状態で、導電材料の粉末を、溶剤及び樹脂接着剤中に混合して成る分散液30の液滴を、上記ガラス管24内面の所定位置に向かって噴射するという簡易な工程により、気密容器12内面に配置される導電性被膜22を形成することができる。
【００３０】
上記構成を備えた放電型サージ吸収素子10に、リード端子18，18を介してサージが印加されると、気密容器12の内面に形成した導電性被膜22と各放電電極14，14間に電子が放出されてトリガ放電が発生する。
次いで、このトリガ放電は、電子のプライミング効果によってグロー放電へと移行する。そして、このグロー放電がサージ電流の増加によって放電間隙16へと転移し、さらに主放電としてのアーク放電に移行してサージの吸収が行われるのである。
【００３１】
上記の通り、導電性被膜22は、一対の放電電極14，14を囲繞する帯状に形成されているので、導電性被膜22と各放電電極14，14間におけるトリガ放電を広範囲に亘って生成することができる。
特に、本実施形態の如く、帯状の導電性被膜22を気密容器12内面の全周に形成し、一対の放電電極14，14の全体を囲繞する場合が最も広範囲にトリガ放電を生成できるので最適である。
【００３２】
而して、本発明の放電型サージ吸収素子10にあっては、放電電極14，14との間でトリガ放電を生成する導電性被膜22をガラスより成る気密容器12の内面に形成したので、従来の放電型サージ吸収素子001におけるトリガ放電部材004が不要であり、部品点数の少ない低コストな放電型サージ吸収素子10を実現できる。
【００３３】
また、導電性被膜22をガラスより成る気密容器12の内面に形成したことにより、放電時の衝撃で放電電極14，14がスパッタされて飛散する電極材料の導電性被膜22への付着量が少なく、その結果、絶縁劣化及び放電開始電圧の不安定化が抑制されて長寿命な放電型サージ吸収素子10を実現することができる。
【００３４】
図４は本発明に係る放電型サージ吸収素子10（３個）と、従来の放電型サージ吸収素子001（３個）における、サージ印加回数（５０００回）と絶縁抵抗（ＭΩ）との関係を示すグラフである。尚、印加したインパルス電流波形は８／２０μｓ−１００Ａである。
図４のグラフに示される通り、従来の放電型サージ吸収素子001の場合（図４のグラフＢ）には、印加回数が２０００回を越えた頃から絶縁抵抗が急激に低下して絶縁劣化を生じているのに対し、本発明の放電型サージ吸収素子10の場合（図４のグラフＡ）には、印加回数が３０００回迄は絶縁抵抗に大きな変化は見られず、また３０００回を越えても絶縁抵抗の低下は緩やかであることから、従来の放電型サージ吸収素子001に比べて絶縁劣化が抑制されており、長寿命化が実現されている。
【００３５】
図５は本発明に係る放電型サージ吸収素子10と、従来の放電型サージ吸収素子001における、インパルス放電開始電圧（ｋＶ）とサージ印加回数（３００回）との関係を示すグラフである。尚、印加した電圧／電流波形は１．２／５０μｓ（Ｒ＝１２Ω）−１５ｋＶ／１．２５ｋＡである。
インパルス放電開始電圧とは、所定値のインパルス（サージ）電圧が印加された場合において、放電型サージ吸収素子10が放電を開始する電圧値のことである。
【００３６】
図５のグラフに示される通り、従来の放電型サージ吸収素子001の場合（図５のグラフＹ）には、印加回数が増えるに従ってインパルス放電開始電圧に大きなバラツキが生じていて不安定であるのに対し、本発明の放電型サージ吸収素子10の場合（図５のグラフＸ）には、３００回印加してもインパルス放電開始電圧が安定的であり、長寿命化が実現されている。
【図面の簡単な説明】
【００３７】
【図１】本発明に係る放電型サージ吸収素子を示す概略断面図である。
【図２】図１のＡ−Ａ拡大概略断面図である。
【図３】本発明に係る放電型サージ吸収素子の製造方法を模式的に示す説明図である。
【図４】本発明に係る放電型サージ吸収素子と、従来の放電型サージ吸収素子における、サージ印加回数と絶縁抵抗との関係を示すグラフである。
【図５】本発明に係る放電型サージ吸収素子と、従来の放電型サージ吸収素子における、インパルス放電開始電圧とサージ印加回数との関係を示すグラフである。
【図６】従来の放電型サージ吸収素子を示す概略断面図である。
【図７】従来の放電型サージ吸収素子の放電電極とトリガ放電部材を示す部分拡大断面図である。
【図８】図７のＸ−Ｘ概略断面図である。
【符号の説明】
【００３８】
10   放電型サージ吸収素子
12   気密容器
14   放電電極
16   放電間隙
18   リード端子
20   被膜
22   導電性被膜
24  ガラス管
26  インクジェット装置のノズル
30  分散液
【図１】
2020027749.tif 000003
【図２】
2020027749.tif 000004
【図３】
2020027749.tif 000005
【図４】
2020027749.tif 000006
【図５】
2020027749.tif 000007
【図６】
2020027749.tif 000008
【図７】
2020027749.tif 000009
【図８】
2020027749.tif 000010